(57)【要約】【課題】全国的に普及し、利用されている既存の自動販売機をそのまま利用することで、安価に、且つ広告宣伝効果が持続することを特徴とする、自動販売機における購入対象物封入用容器、これを用いた飲料用自動販売機、及びこれを用いた広告方法の提供。【解決手段】自動販売機での購入対象物５が封入された容器１に、当該購入対象物以外に関する広告４を表示する。さらに、当該容器１は購入対象物５を収納する容器本体３と容器本体開口部に嵌合する着脱自在の容器蓋２とからなる円筒状又は略円筒状の形状とする。さらに、追加選択的に当該容器蓋２の外径と前記容器本体３の外径とを嵌合部において略同一とし、また、前記容器蓋２に硬貨投入口６を設ける。【選択図】図１
2010128642.tif 000002
【特許請求の範囲】
【請求項１】
自動販売機での購入対象物を封入する容器であって、当該容器には、前記購入対象物以外に関する広告が表示されていることを特徴とする自動販売機における購入対象物封入用容器。
【請求項２】
前記広告は、広告対象を表示する文字若しくは画像、広告対象を表示するウエブサイトへのアクセス手段であるインターネットアドレス若しくはこれを含むバーコードのうち、いずれか一つ若しくは複数を含むことを特徴とする請求項１に記載の自動販売機における購入対象物封入用容器。
【請求項３】
前記容器は、購入対象物を収納する容器本体と容器本体開口部に嵌合する着脱自在の容器蓋とからなる円筒状又は略円筒状の形状とし、当該容器蓋外径と前記容器本体外径とが嵌合部において略同一としたことを特徴とする請求項１又は請求項２に記載の自動販売機における購入対象物封入用容器。
【請求項４】
前記容器は、着脱自在の容器蓋に硬貨投入口を設けた容器であることを特徴とする請求項１乃至請求項３に記載の自動販売機における購入対象物封入用容器。
【請求項５】
前記購入対象物が印刷物であることを特徴とする請求項１乃至請求項４に記載の自動販売機における購入対象物封入用容器。
【請求項６】
請求項１乃至請求項５に記載の自動販売機における購入対象物封入用容器を用いて当該購入対象物を提供することを特徴とする飲料用自動販売機。
【請求項７】
自動販売機での購入対象物以外に関する広告を表示した当該購入対象物を封入する容器を用いた広告方法であって、請求項１乃至請求項５に記載の購入対象物封入用容器及び／又は請求項６に記載の自動販売機を用いて行うことを特徴とする広告方法。
【発明の詳細な説明】
【技術分野】
【０００１】
この発明は、既存の自動販売機、特に飲料用自動販売機における購入対象物を封入する容器等に関するものであり、当該購入対象物以外に関する広告を付したことを特徴とする容器、これを用いた飲料用自動販売機、及びこれを用いた広告方法であり、特に前記購入対象物を、雑誌その他印刷物等としたことに関する。
【背景技術】
【０００２】
従来、新商品や各種店舗、イベント等に関する情報の伝達媒体としては、新聞、雑誌のほか、テレビやラジオなどのマスメディア、インターネットによる情報開示サイトなど様々な媒体が存在する。
【０００３】
一方、清涼飲料水等の商品の自動販売機が全国的に普及していることに鑑み、これを不特定多数の利用者に対する広告提示手段として用いることが行われている。例えば、複数の自動販売機が、これらを管理する管理センターの管理センター端末及び自動販売機のモニターに広告を配信する広告配信元の広告配信端末との間で通信ネットワークを介して接続され、当該広告配信元が販売状況をデータベースから参照して最適な広告画像コンテンツを自動販売機へ配信する技術が知られている（特許文献１参照。）。
【特許文献１】特開２００１−３０７１８９号公報
【発明の開示】
【発明が解決しようとする課題】
【０００４】
しかし、上記特許文献に係る発明によれば、自動販売機の利用者が広告の提示を受けるのは、当該自動販売機に対面しているごく限られた時間のみであり、広告主が期待するほどの効果を上げているかは疑問である。
【０００５】
我国の自動販売機の全国設置台数は、平成１６年１２月末時点で５，５４８，１００台となり、自動販売機１台当たりの人口は２３人と、世界一の自動販売機普及国となっている（平成１８度版  環境白書／環境省編）。そして、飲料用自動販売機はそのうちの半分以上を占めるといわれている。
【０００６】
そこで、本発明は全国的に普及し、利用されている既存の自動販売機をそのまま利用することで、安価に、且つ広告宣伝効果が持続することを特徴とする、自動販売機における購入対象物封入用容器、これを用いた飲料用自動販売機、及びこれを用いた広告方法を提供することを課題とする。
【課題を解決するための手段】
【０００７】
上記の課題を解決するために、本発明は次のような構成とした。即ち、請求項１に記載の自動販売機における購入対象物封入用容器は、自動販売機での購入対象物以外に関する広告が表示されていることを特徴とする。
【０００８】
請求項２に記載の自動販売機における購入対象物封入用容器は、請求項１に記載の構成において、前記広告が、広告対象を表示する文字若しくは画像、広告対象を表示するウエブサイトへのアクセス手段であるインターネットアドレス若しくはこれを含むバーコードのうち、いずれか一つ若しくは複数を含むことを特徴とする。
【０００９】
請求項３に記載の自動販売機における購入対象物封入用容器は、請求項１又は請求項２に記載の構成において、前記容器を、購入対象物を収納する容器本体と容器本体開口部に嵌合する着脱自在の容器蓋とからなる円筒状又は略円筒状の形状とし、当該容器蓋外径と前記容器本体外径とが嵌合部において略同一としたことを特徴とする。
【００１０】
請求項４に記載の自動販売機における購入対象物封入用容器は、請求項１乃至請求項３に記載の構成において、前記容器は、着脱自在の容器蓋に硬貨投入口を設けたことを特徴とする。
【００１１】
請求項５に記載の自動販売機における購入対象物封入用容器は、前記購入対象物が印刷物であることを特徴とする。
【００１２】
請求項６に記載の飲料用自動販売機は、請求項１乃至請求項５に記載の自動販売機における購入対象物封入用容器を用いて当該購入対象物を提供することを特徴とする。
【００１３】
請求項７に記載の広告方法は、自動販売機での購入対象物以外に関する広告を表示した当該購入対象物を封入する容器であって、請求項１乃至請求項５に記載の購入対象物封入用容器及び／又は請求項６に記載の自動販売機を用いて行うことを特徴とする。
【発明の効果】
【００１４】
本発明に係る請求項１に記載の自動販売機における購入対象物封入用容器によれば、購入対象物を入手するのと同時に広告を付した容器も手に入れることとなり、これに付された購入対象物以外に関する広告が購入者の目に触れることなる。また、既存の自動販売機を利用できることから安価に実施することが可能となる。
【００１５】
また、請求項２に記載の自動販売機における購入対象物封入用容器によれば、広告主の希望に応じて各種広告表示態様を選択することが可能となる。
【００１６】
また、請求項３の記載の自動販売機における購入対象物封入用容器によれば、自動販売機内の例えばペットボトル用のラックに収容しても、当該自動販売機内における商品の送り出し動作に支障を来たすことがない。
【００１７】
また、請求項４に記載の自動販売機における購入対象物封入用容器によれば、貯金箱として再利用可能であり、購入者の目に触れる時間が長期に及ぶため広告宣伝効果がより持続することとなる。
【００１８】
また、請求項５に記載の自動販売機における購入対象物封入用容器によれば、従来は、書店やコンビニエンスストアでしか購入できなかった雑誌等の印刷物が、全国的に設置が普及している自動販売機から購入することができるようになるため、これら印刷物の購読者を新たな広告ターゲットとすることが可能となる。ここでいう印刷物とは、例えば、週刊、月間、季刊刊行物のほか、求人情報誌や飲食店及び各種施設利用クーポン誌などが含まれ、その種類は問わない。
【００１９】
また、請求項６に記載の飲料用自動販売機によれば、全国的に設置が普及している自動販売機により種々の商品を当該容器に封入して販売することが可能となるため、広告エリアを容易に全国規模へ広げることが可能となる。
【００２０】
そして、請求項７に記載の広告方法によれば、上記記載の各種効果を享受しうる自動販売機における購入対象物封入用容器及び飲料用自動販売機を利用することで、経済的、且つ効果的に所望の広告を行うことが可能となる。さらに、広告主から支払われる広告料の一部を購入対象物の商品価額に充当することで、当該購入対象物の通常販売価額より安価に提供することも可能となり、広告主、需要者、購入対象物提供者の三者にとって有益な広告方法であるといえる。
【発明を実施するための最良の形態】
【００２１】
以下、本発明の最良の実施形態を、以下の実施例において図面を参照しながら説明する。
【００２２】
図１は本発明に係る容器を示す斜視図、図２は本発明に係る容器の開蓋状態を示す図、図３は本発明に係る容器蓋と容器本体との嵌合状態を示す一部拡大断面図、図４は本発明に係る容器を自動販売機に収容する様子を示す図である。
【００２３】
図中において、１は容器、２は容器蓋、３は容器本体、４は広告表示部、５は印刷物、６は硬貨投入口、７は開口部、８は開口部周壁、９は収容ラック、１０は自動販売機である。
【００２４】
本実施例において、容器１は直径約６ｃｍ、全長約２２ｃｍの円筒状をなす。これは内容量５００ｍｌのペットボトルや飲料缶と略同一の寸法であり、このような寸法及び形状とすることにより既存の自動販売機に設けられたペットボトル用収容ラック９（図４）に当該容器１を収容することが可能となる。
【００２５】
当該容器１は、容器本体３と容器本体開口部７に嵌合する着脱可能な容器蓋２とからなり、いずれもポリエチレン、ポリプロピレン、ポリ塩化ビニル、アクリル樹脂等の合成樹脂を材料として成形加工してなる。容器本体３と容器蓋２とは同程度の可撓性を具備することとしてよいが、開閉時の取扱い操作を容易とすべく、例えば容器本体３を容器蓋２より軟質に成形することが好ましい。また、容器１に貯金箱としての用途を付与すべく、容器蓋２に硬貨投入口６を設けた構造とする（図１）。
【００２６】
図２及び図３に示すように、容器本体３には、容器蓋２の肉厚分及び後述する突条イの高さ分だけ胴部外径より小径に形成した開口部周壁８を延設し、当該開口部周壁８の外周面に突条アを周設する。一方、容器蓋２の内周壁面には突条イを周設し、前記突条アと相俟って閉蓋時の嵌合手段として機能する。容器本体３及び容器蓋２はいずれも可撓性を有する素材で成形し、容器蓋２を前記口部周壁８へ嵌合する際にかかる押圧力により突条アと突条イは相互に乗り越えて閉蓋状態を形成し、これを維持する。
【００２７】
広告表示部４は、容器本体３の任意の箇所に設ける。本実施例においては容器本体３の下方に設けたが（図１）、当該表示部４は図示した位置、領域に限られない。ここで、当該表示部４に表示される広告とは、自動販売機における購入対象物に関する以外の広告、即ち、本実施例においては、当該容器１に封入された印刷物に関する広告ではなく、当該印刷物に関連する以外の広告を表示する。当該広告は、企業広告、新規発売商品についての広告、求人広告など、その種類は問わない。なお、当該印刷物に含まれるスポンサーの広告を排除するものではない。
また、当該広告の表示態様は、広告対象を表示する文字や画像のほか、広告対象を表示するウエブサイトへのアクセス手段であるインターネットアドレス（URL／Uniform Resource LocatorやIPアドレス）若しくはこれを含むバーコードのうち、いずれか一つ若しくは複数を含むことを特徴とする。
また、ここでいうバーコードとは一次元バーコードのほか、情報量のより多いQRコード、PDF417、Data Matrix 、MaxiCodeなど二次元バーコードも含む。
【００２８】
本発明に係る容器１は、図４に示すように飲料商品ａ、ｂ、ｃと並んで、自動販売機１０内の収容ラック９へ収容する。前述の通り、当該容器１は５００ｍｌのペットボトル等と略同一の寸法に基づき円筒状に成形したことから、既存の自動販売機に何ら構造的な改良を加えることなく収容することが可能である。
【００２９】
本実施例においては、容器１は５００ｍｌのペットボトル大の寸法としたが、これに限らず、これより小さい飲料缶等に合わせてもよく、その場合、封入する購入対象物品は当該寸法に合わせた物品となる。
【００３０】
以上、本実施例によれば、既存の自動販売機を利用することができることから安価に実施でき、また、購入者は購入対象物を広告が付された容器共々持ち帰ることから、広告宣伝効果を持続させることが可能となる。
【００３１】
また、前記容器の容器蓋外径と胴部外径とを略同一としたことから、当該容器をペットボトル用の収容ラック部に収容しても、自動販売機内における商品の送り出し動作に支障をきたすこともない。
【００３２】
さらに、持ち帰った当該容器１は貯金箱として再利用可能であることから、広告表示部４に表示された広告の宣伝効果はより長く持続することが期待できる。
【００３３】
ここでいう購入対象物とは、前記容器に封入可能であって、自動販売機での販売に差し障りのない商品であれば特に限定しない。本実施例においては、これを印刷物とすることで、従来はコンビニエンスストアや書店でしか購入できなかった雑誌等が、全国的に設置が普及している自動販売機から購入できるため、これら印刷物の購読者という新たな広告ターゲットが生み出されることとなり、企業等にとっては新たな広告宣伝手段及び方法として大いに利用することができる。
【産業上の利用可能性】
【００３４】
自動販売機における購入対象物の種類を問わず、本発明に係る容器、自動販売機、広告方法を利用することで、容易に、且つ持続的に広告効果を上げることが可能となることから、全く新たな広告手段として、産業の発展に大きく寄与しうるものと確信する。
【図面の簡単な説明】
【００３５】
【図１】本発明に係る容器を示す斜視図。
【図２】本発明に係る容器の開蓋状態を示す図。
【図３】本発明に係る容器蓋と容器本体との嵌合状態を示す一部拡大断面図。
【図４】本発明に係る容器を自動販売機に収容する様子を示す図。
【符号の説明】
【００３６】
１  容器
２  容器蓋
３  容器本体
４  広告表示部
５  印刷物
６  硬貨投入口
７  開口部
８  口部周壁
９  収容ラック
１０  自動販売機
【図１】
2010128642.tif 000003
【図２】
2010128642.tif 000004
【図３】
2010128642.tif 000005
【図４】
2010128642.tif 000006